(57)【特許請求の範囲】
【請求項１】
点灯して虫を集める誘引灯と、該誘引灯の近傍に設けられた相対向する電極と、該電極に高電圧を印加して該電極に近接乃至接触した虫を電撃殺虫するための高圧電源部と、上記電極の下方に設けられた受皿と、該受皿に落下した虫の死骸を捕集する捕集手段と、を備え、
点灯中の上記誘引灯を一時的に消灯し再点灯して虫に対する刺激を高めるように構成し、
上記捕集手段を上記誘引灯の消灯の時に作動させ、かつ、該捕集手段を作動させる清掃時間中は上記高圧電源部をＯＦＦ状態として上記電極への出力を停止し、さらに、一の上記清掃時間と次の上記清掃時間との間に複数回上記刺激を高めるために消灯する制御手段を具備し、
かつ、上記電極に近接乃至接触した虫に電撃を与える放電直後から設定秒間上記高圧電源部をＯＦＦするとともに、設定秒後に再び上記高圧電源部をＯＮするように構成したことを特徴とする自動捕虫装置。
【請求項２】
高圧電源部にて電極に印加する高電圧を可変とした請求項１記載の自動捕虫装置。
【請求項３】
誘引灯の光度を調整可能とした請求項１又は２記載の自動捕虫装置。
【請求項４】
複数の電極群を、各々独立に制御可能として配置した請求項１、２又は３記載の自動捕虫装置。
【請求項５】
交流を直流に変換して高圧電源部から直流電流を電極に供給する請求項１、２、３又は４記載の自動捕虫装置。
【発明の詳細な説明】
【０００１】
【発明の属する技術分野】
本発明は、例えば食品加工所、工場、飲食店、量販店等において、飛翔する蠅、蚊等の害虫を電撃殺虫して捕集する自動捕虫装置に関する。
【０００２】
【従来の技術】
従来の自動捕虫装置としては、長方形の傘の下方に平行な一対の捕虫ランプが水平状に設けられると共に、一対の捕虫ランプの間に上下複数本の棒状電極が相対向して櫛状に配設され、その下方に虫の死骸を受ける受皿が設けられた構造のものが公知であった。
【０００３】
【発明が解決しようとする課題】
ところで、この自動捕虫装置は、高圧電源として昇圧トランスが設けられているが、電圧電流の制御が行われていないため、虫が電極に接触し、一度火花放電が起こると連続してしまうことが多く、特に骨格の柔らかい虫などは焼け焦げるまで放電が続き、そのため電極に虫の死骸が付着し、荷電障害の要因となっていた。また、焼け焦げるときの悪臭や、装置周辺への死骸の飛散の問題を有していた。
【０００４】
そこで、本発明は、上述の問題を解決し、電極の連続放電を防止して殺虫の信頼性を大幅に向上し得る自動捕虫装置を提供することを目的とする。
【０００５】
【課題を解決するための手段】
上述の目的を達成するために、本発明に係る自動捕虫装置は、点灯して虫を集める誘引灯と、該誘引灯の近傍に設けられた相対向する電極と、該電極に高電圧を印加して該電極に近接乃至接触した虫を電撃殺虫するための高圧電源部と、上記電極の下方に設けられた受皿と、該受皿に落下した虫の死骸を捕集する捕集手段と、を備え；点灯中の上記誘引灯を一時的に消灯し再点灯して虫に対する刺激を高めるように構成し；上記捕集手段を上記誘引灯の消灯の時に作動させ、かつ、該捕集手段を作動させる清掃時間中は上記高圧電源部をＯＦＦ状態として上記電極への出力を停止し、さらに、一の上記清掃時間と次の上記清掃時間との間に複数回上記刺激を高めるために消灯する制御手段を具備し；かつ、上記電極に近接乃至接触した虫に電撃を与える放電直後から設定秒間上記高圧電源部をＯＦＦするとともに、設定秒後に再び上記高圧電源部をＯＮするように構成したものである。
【０００６】
また、高圧電源部にて電極に印加する高電圧を可変とするも、好ましい。
さらに、誘引灯の光度を調整可能とするも、好ましい。
また、複数の電極群を、各々独立に制御可能として配置するも良い。
このとき、交流を直流に変換して高圧電源部から直流電流を電極に供給するのが、好ましい。
【０００７】
【発明の実施の形態】
以下、実施の形態を示す図面に基づき、本発明を詳説する。
【０００８】
図１は本発明に係る自動捕虫装置の実施の一形態を示す構成図、図２は図１のＡ−Ａ線矢視断面図である。この自動捕虫装置は、フレーム１の上部に長方形の傘２が設けられ、その下方に誘引灯（捕虫ランプ）３が水平に配置されている。この誘引灯３は、例えば商用交流電源により駆動される。そして、上記誘引灯３の下方に軸を水平にして互いに対向する上下複数の棒状電極４ａ，４ｂが碍子５を介して取付けられている。上記複数の電極４ａ，４ｂは櫛状に配置され、一定の間隔を保って交互に位置している。
【０００９】
電極４ａ，４ｂの下方には、長方形の受皿６が配置されている。この受皿６と傘２との間には、その両側に誘引灯３の軸に平行に線状のガード11が所定間隔で複数設けられている。
【００１０】
受皿６の一方の端部には、底面に例えば漏斗状の開口部（落し口）12が形成されており、その下方に捕虫室10が設けられる。この捕虫室10内には、受皿６の開口部12の下方に紙パック等の捕虫袋13が交換可能に装着されている。
【００１１】
また、この自動捕虫装置は、受皿６に落下した虫の死骸を捕集する捕集手段７を備えている。この捕集手段７は、清掃ブラシ機構17及びその駆動用モータ14や動力伝達機構、上記捕虫袋13、吸引ブロア27等から構成される。
【００１２】
具体的に説明すると、受皿６の他方の端部側に近接してモータ14が設けられ、その回転軸にプーリ15ａが装着されている。また、このプーリ15ａに対し、受皿６を介して対向するようにプーリ15ｂが設けられ、プーリ15ａ，15ｂ間にワイヤ16が装着されている。
【００１３】
そして、受皿６の内側に沿って動くように清掃ブラシ機構17が取付けられている。この清掃ブラシ機構17は、ワイヤ16を介してモータ14のプーリ15ａに連結され、モータ14の回転により受皿６の内側を移動し、受皿６に落ちている虫を片側（図１では右方向）に集め、開口部12より捕虫袋13内へ落し込むようになっている。
【００１４】
図１〜図３に示すように、清掃ブラシ機構17は、枠21と、４個のローラ22…と、枠21の下側中央に蝶番にて取付けられたＬ字型の清掃ブラシ23とを有し、受皿６の側壁上部を内側に折り返して形成されたエッジ24，24にガイドローラ22…を介して取付けられ、受皿６を移動できるようになっている。清掃ブラシ23には、下側中央部より上方に向かうスリット25が形成され、このスリット25内を上記ワイヤ16が通される。このワイヤ16には、スリット25の両方に位置するように１個ずつストッパ26ａ，26ｂが設けられる。
【００１５】
図３は受皿６に落下した虫を掃きよせる方向、つまり、開口部12側へ向かう方向に清掃ブラシ23を移動させる場合を示し、モータ14を例えば正回転させることにより、ワイヤ16のストッパ26ａがＬ字型の清掃ブラシ23の傾斜面を外側より受皿６に押し付けながら清掃ブラシ機構17全体を開口部12の方向へ移動させる。
【００１６】
清掃ブラシ23を開口部12側へ移動させた後は、モータ14を逆回転させることにより、（図１の仮想線で示す如く）ワイヤ16のストッパ26ｂが清掃ブラシ23の傾斜面を内側から押し上げながら清掃ブラシ機構17全体を開口部12とは反対方向へ移動させる。このとき、清掃ブラシ23は上方へ持ち上げられているため、受皿６の内面を掃かない。
【００１７】
また、捕虫袋13への虫の落下を容易にするために、捕虫室10の側方に設けた吸引ブロア27により吸引が行われる。この吸引ブロア27による吸引は、例えば図１に示す矢印で示すように捕虫袋13の底部より捕虫室10の側部下方を通る通風路を介して行われる。
【００１８】
さらに、受皿６の下方には、詳細を後述する高圧電源部Ｅ、計数手段Ｆ及び制御手段Ｇが設けられる（図６参照）。そして、フレーム１には、誘引灯３及び電極４ａ，４ｂを除いて他の部分を覆うようにカバー33が設けられる。このカバー33には、空気挿通口34…が形成されている。また、カバー33には、図１と図４に示す如く、高圧電源部Ｅと計数手段Ｆと制御手段Ｇに接続されるコントロールパネル35が装着されている。
【００１９】
しかして、本発明の自動捕虫装置は、図１と図４と図６に示すように、点灯中の誘引灯３を一時的に消灯し再点灯して虫に対する刺激を高めるように構成されている。具体的には、制御手段Ｇによって、クリーニング設定時間毎に捕集手段７を作動させかつ誘引灯３を消灯し、捕集手段７の停止後に誘引灯３を再度点灯するように設定しても良い。なお、高圧電源部Ｅは誘引灯３のＯＮ・ＯＦＦに同期してＯＮ・ＯＦＦさせるようにしても良い。
【００２０】
また、この自動捕虫装置では、計数手段Ｆにて電極４ａ，４ｂの放電回数を検出して計数すると共に、計数手段Ｆからの検出信号が制御手段Ｇに入力されることによって、制御手段Ｇにて電極４ａ，４ｂの放電直後から設定秒間高圧電源部ＥをＯＦＦするように構成されている。さらに、高圧電源部Ｅにて電極４ａ，４ｂに印加する高電圧を可変とすると共に、誘引灯３の光度を調整可能としている。電圧はコントロールパネル35の摘み37にて、例えば2300Ｖ（低）・2500Ｖ（中）・2700Ｖ（高）の３段階に切換えることができる。また、誘引灯３の光度は、コントロールパネル35の摘み38にて、所定光度範囲内で調整可能とされている。
【００２１】
詳しく説明すると、高圧電源部Ｅに於て、交流の商用電源に接続されたインバータ回路41の出力は、パルストランス42により昇圧された後、整流回路43で整流されて（直流に変換され）電極４ａ，４ｂに供給される。即ち、高圧電源部Ｅから直流電流が電極４ａ，４ｂに供給される。インバータ回路41には、制御手段Ｇ及び安全回路45が接続されると共に、安全回路45の入力端はガード11に接続される。安全回路45は、ガード11に人が触れてリミットスイッチが作動したとき、停止信号をインバータ回路41に送る。インバータ回路41は、この停止信号を受けて作動を停止する。
【００２２】
計数手段Ｆは、次のように構成されている。整流回路43のアース端部44には、ロゴスキーコイル51が設けられ、その出力は電流検出回路52を経てカウンタ回路53へ送られる。このカウンタ回路53のカウンタ値は、上記コントロールパネル35のカウンタ表示部36で表示される。また、電流検出回路52は、制御手段Ｇに接続され、電極４ａ，４ｂ間の放電を検出することによりその検出信号を制御手段Ｇへ出力する。
【００２３】
制御手段Ｇは、コントロールパネル35の電源スイッチ46をＯＮした駆動時に於て、何分毎に捕集手段７を作動させて清掃するか（クリーニング設定時間）を設定するタイマーを有し、そのタイマーの摘み40を所望の設定時間に合わせて設定することができる。本実施の形態では、タイマーは10分単位で60分まで設定することができる場合を例示している。なお、「クリーニング」の表示の位置に摘み40を合わせれば、随時捕集手段７を作動させることができる。
【００２４】
また、コントロールパネル35の摘み39は、電極４ａ，４ｂ間で放電した直後から何秒間だけ高圧電源部ＥをＯＦＦしておくかを調整するものであり、例えば、1.5 秒、５秒、20秒、45秒のカウント間隔に設定でき、制御手段Ｇは、電極４ａ，４ｂ間の放電直後から設定秒間（カウント間隔）だけ高圧電源部Ｅを０ＦＦするように制御する。つまり、カウント間隔後は高圧電源部Ｅは再びＯＮとなる。
【００２５】
図５は、自動捕虫装置の駆動時における捕集手段７、誘引灯３及び高圧電源部Ｅのタイムチャート図を示す。しかして、図１〜図５を参照しつつ自動捕虫装置の作動状況について説明すると、コントロールパネル35の電源スイッチ46をＯＮして駆動開始することにより、誘引灯３及び高圧電源部ＥがＯＮ状態となる。つまり、誘引灯３が点灯すると共に、高圧電源部Ｅから電極４ａ，４ｂに高電圧が印加されて、捕虫が行われる。
【００２６】
そして、駆動開始からクリーニング設定時間経過（例えば60分経過）すると、制御手段Ｇにてモータ14を駆動し、清掃ブラシ機構17を予め設定された回数受皿６内を往復させ、清掃ブラシ23により虫の死骸を開口部12へ移動させると共に、吸引ブロア27も同時間作動させ、効果的に捕虫袋13へ虫の死骸を捕集する。この清掃時間中は、制御手段Ｇにて、誘引灯３がＯＦＦ状態とされて消灯しかつ高圧電源部ＥがＯＦＦ状態とされて電極４ａ，４ｂへの出力が停止されるよう同期させても良い。また、誘引灯３は、一の清掃時間と次の清掃時間との間に複数回消灯し再点灯するように設定するも良い。例えば、10分間点灯した後、１分間消灯し、これを繰り返すようにする。
【００２７】
ところで、駆動開始から清掃開始までの捕虫時間内に於て、誘引灯３にて誘引されてその周りに集まった虫は、電極４ａ，４ｂに近接乃至接触して電撃を受け、受皿６に落下する。このときの放電は、通常はほとんど流れていない電流が瞬時ではあるが10ｍＡから 100ｍＡに達する。そして、放電直後は、高圧電源部Ｅが瞬時にＯＦＦ状態とされ、設定したカウント間隔（例えば20秒間）後に再びＯＮ状態となる。つまり、効果的に電撃を与えるが連続放電は生じないという状態が得られる。
【００２８】
このように、捕虫時間内には、複数匹の虫が電極４ａ，４ｂに近接乃至接触することによって複数回の放電の度毎に高圧電源部ＥがＯＦＦしかつ再度ＯＮし、連続放電を生じさせずに強い電撃力を虫に与えるため、虫は電極４ａ，４ｂ間で焼け焦げずに落下し、電極４ａ，４ｂへの虫の付着が防止される。このとき、比較的小さな虫（例えば蚊や小蠅等）を対象とする場合はカウント間隔を20秒や40秒と長くすることにより、誘引灯３に群がってきても電極４ａ，４ｂに付着するまで焼け焦げるということがなく、また付着し難い比較的大きな虫（例えば蠅や甲虫類）を対象とする場合はカウント間隔を 1.5秒や５秒と短くするというように、虫の大きさや種類等に応じてカウント間隔を切換えることができる。
【００２９】
また、誘引灯３は、走行性の悪い虫（例えば大型蠅）を対象とする場合は光度を高く設定し、走行性の良い虫（例えばユスリ蚊）を対象とする場合は光度を低く設定するというように虫の性質に応じてや、あるいは設置場所の明るさによって光度の高低（明暗）を調整する。
【００３０】
また、電極４ａ，４ｂに印加する電撃電圧を適度な強さに調整することによって、骨格の柔らかい虫の羽や脚等が電撃によって飛び散らないようにすることができる。このようにすることによって、虫の羽や脚等が電撃にて飛び散って設置場所（例えば食料品加工場）に保管している食品に混入するようなことを防止できると共に、飛び散った虫の脚を食べに他の虫が集まったり増殖したりする二次汚染を防止することができる。
【００３１】
なお、電極４ａ，４ｂ間の放電電流は、ロゴスキーコイル51と電流検出回路52で検知され、その回数はカウンタ回路53でカウントされる。このカウンタ回路53のカウント数は、虫の死骸にほぼ相当する。
【００３２】
このように、本発明の自動捕虫装置は、点灯中の誘引灯３を一時的に消灯して虫への刺激を高めて効果的に誘引し、かつ、電撃力を強く保ちながら火花放電を連続させないように、放電毎に所定のカウント間隔を設定しつつ電極４ａ，４ｂ間に高電圧を印加して、虫を電撃殺虫すると共に、クリーニング設定時間毎に捕集手段７を作動させて受皿６に落ちた虫の死骸を捕虫袋13内へ捕集することができる。
【００３３】
また、図７に示すように、本発明の自動捕虫装置は、複数の電極群29…を、独立に制御可能として誘引灯３の近傍に配置するようにしても良い。つまり、複数対の電極４ａ，４ｂを一群として、例えば、誘引灯３の上方と前方と下方に三つの電極群29，29，29を配置する。そして、カバー33の上壁と前壁と下壁に虫を取り入れる開口部30…を設ける。また、図１〜図６では一つの電極群に直流電流を供給しつつ制御するように構成した場合であったが、このような回路構成を複数の電極群29…について設けて独立制御できるように構成する。
【００３４】
この自動捕虫装置によれば、例えば、上方の電極群29の電極４ａ，４ｂに虫が近接乃至接触して放電が生じると、その電極群29での放電がカウントされ、かつ、所定のカウント間隔は（上述したように）電流供給が停止するが、他の前方及び下方の電極群29，29は独立制御のため電流供給が継続される。従って、放電した電極群29がどの位置に配設されたものか、及び、電流供給停止回数を、記録することで、虫の飛翔方向と数が検出され、それによってどの方向から虫が来る場合が多いかを知ることができる。それと共に低消費電力と効率的な電撃殺虫効果を得ることができる。なお、矢印Ｂは虫の飛翔方向を示している。
【００３５】
なお、本発明は上述の実施の形態に限定されず、例えば、本実施の形態ではクリーニング設定時間を10分単位で60分まで設定できる場合を説明したが、例えば30分単位で12時間まで設定できるような長い設定時間も可能なように構成するも良い。また、カウント間隔も自由に設定変更可能である。
【００３６】
【発明の効果】
本発明は上述の如く構成されるので、次に記載する効果を奏する。
【００３７】
（請求項１によれば）点灯中の誘引灯３が一時的に消灯し、再度点灯することによって、虫への刺激（誘引効果）が高められ、より多くの虫を誘引灯３に集めて電撃殺虫することができる。また、一時的な消灯は消費電力の低減ともなる。
【００３８】
また、虫による電極４ａ，４ｂ放電の直後、連続放電がなくなるため、従来のように電極４ａ，４ｂに虫の焼け焦げた死骸が付着し、荷電障害の要因となる問題や、焼け焦げるときの悪臭の問題がなくなり、電撃殺虫の信頼性を大幅に向上することができる。
【００３９】
（請求項２によれば）電極４ａ，４ｂに印加する電撃電圧を適度な強さに調整することができるので、骨格の柔らかい虫の羽や脚等が電撃によって周囲に飛び散らないようにすることができる。即ち、装置周辺への美化・衛生状態を良好に維持できる。従って、虫の羽や脚等が電撃にて飛び散って設置場所（例えば食料品加工場）に保管している食品に混入するようなことを防止できると共に、飛び散った虫の脚を食べに他の虫が集まったり増殖したりする二次汚染を防止することができる。
【００４０】
（請求項３によれば）走行性（光に対する感受性）の悪い虫や良い虫というような虫の性質に応じて、あるいは設置場所の明るさに応じて、誘引灯３の光度の高低（明暗）を調整することができる。
【００４１】
（請求項４によれば）複数の電極群29…を独立制御するため、一の電極群29が放電して所定カウント間隔電気供給が停止しても、他の電極群29は電気供給が継続され、低消費電力と効率的な電撃殺虫効果を得ることができる。また、放電した電極群29から虫の飛翔方向を知ることができ、虫が多く来る方向を重点的に電撃するなどの対策を立てることができる。
（請求項５によれば）交流電流に比して低消費電力にて効率的に電撃殺虫効果を得ることができる。
【図面の簡単な説明】
【図１】本発明に係る自動捕虫装置の実施の一形態を示す構成図である。
【図２】図１のＡ−Ａ線矢視断面図である。
【図３】清掃ブラシ機構を示す要部斜視図である。
【図４】コントロールパネルを示す要部正面図である。
【図５】捕集手段と誘引灯と高圧電源部のタイムチャート図の参考図である。
【図６】高圧電源部と計数手段と制御手段の構成を示すブロック図である。
【図７】本発明の他の実施の形態を示す断面図である。
【符号の説明】
３  誘引灯
４ａ  電極
４ｂ  電極
29  電極群
Ｅ  高圧電源部
【図１】
0003595496.tif 000002
【図２】
0003595496.tif 000003
【図３】
0003595496.tif 000004
【図４】
0003595496.tif 000005
【図５】
0003595496.tif 000006
【図６】
0003595496.tif 000007
【図７】
0003595496.tif 000008